(57)【要約】      （修正有）【課題】爪又は人工爪からの着脱が簡便に可能で、また、容易に脱落してしまわないネイルパーツを提供する。【解決手段】爪又は人工爪４に予め固定又は接着する爪側固定部材２０と、装飾物であり、装飾をなす部分の爪又は人工爪側に、爪側固定部材に嵌合するネイルパーツ側固定部を有するネイルパーツ本体を備え、爪側固定部材とネイルパーツ本体のネイルパーツ側固定部とが嵌合することにより、ネイルパーツ本体が、爪側固定部材を介して、爪又は人工爪に着脱自在に固定されることを特徴とする。【選択図】図１
0003197853.tif 000002
【実用新案登録請求の範囲】
【請求項１】
人の手足の爪又は人工爪に着脱自在な装飾物であるネイルパーツにおいて、
該爪又は該人工爪に予め固定又は接着する爪側固定部材と、
該装飾物であり、装飾をなす部分の該爪又は該人工爪側に、該爪側固定部材に嵌合するネイルパーツ側固定部を有するネイルパーツ本体を備え、
該爪側固定部材と該ネイルパーツ本体の該ネイルパーツ側固定部とが嵌合することにより、該ネイルパーツ本体が、該爪側固定部材を介して、該爪又は該人工爪に着脱自在に固定されることを特徴とするネイルパーツ。
【請求項２】
前記爪側固定部材が、ナット状であり、
前記ネイルパーツ本体の前記ネイルパーツ側固定部が、ボルト状であり、
該ネイルパーツ側固定部が、該爪側固定部材に螺嵌されることを特徴とする請求項１記載のネイルパーツ。
【考案の詳細な説明】
【技術分野】
【０００１】
本考案は、人の手足の爪又は人工爪に着脱自在な装飾物であるネイルパーツに関する。
【背景技術】
【０００２】
従来より、人の手足の爪又は人工爪に、爪用の装飾物であるネイルパーツを接着することが広く行われている。このネイルパーツの接着方法として、例えば特許文献１に示されるような、宝石類を取り付ける方法がある。
【０００３】
特許文献１の人工爪への宝石類の取付方法は、宝石類が保持された台座を人工爪に固定（接着）することにより、その台座を介して宝石類を人工爪に取り付けるようにしている。より具体的には、台座に凹部を形成し、その凹部に接着材を流し込み、その接着剤を入れた凹部に宝石類を嵌め込んで、接着している。
【先行技術文献】
【特許文献】
【０００４】
【特許文献１】特開２０１１−１３０９３０号公報
【考案の概要】
【考案が解決しようとする課題】
【０００５】
しかしながら、従来の人工爪への宝石類の取付方法では、台座に宝石類を直接接着してしまっていることから、台座から宝石類を取り外すことができない。また、従来の方法では、人の手足の爪に宝石類を取り付ける場合には、用いることのできる方法ではない。
【０００６】
本考案は、このような事情に鑑みてなされたもので、爪又は人工爪からの着脱が簡便に可能で、また、容易に脱落してしまわないネイルパーツを提供することにある。
【課題を解決するための手段】
【０００７】
請求項１記載のネイルパーツは、爪又は人工爪に予め固定又は接着する爪側固定部材と、装飾物であり、装飾をなす部分の爪又は人工爪側に、爪側固定部材に嵌合するネイルパーツ側固定部を有するネイルパーツ本体を備え、爪側固定部材とネイルパーツ本体のネイルパーツ側固定部とが嵌合することにより、ネイルパーツ本体が、爪側固定部材を介して、爪又は人工爪に着脱自在に固定されることを特徴とする。
【０００８】
請求項２記載のネイルパーツは、爪側固定部材が、ナット状であり、ネイルパーツ本体のネイルパーツ側固定部が、ボルト状であり、ネイルパーツ側固定部が、爪側固定部材に螺嵌されることを特徴とする。
【考案の効果】
【０００９】
本考案によれば、爪側固定部材とネイルパーツ本体のネイルパーツ側固定部とが嵌合することにより、ネイルパーツ本体が、爪側固定部材を介して、爪又は人工爪に着脱自在に固定されることから、爪又は人工爪からの着脱が簡便に可能で、また、容易に脱落してしまわない。
【図面の簡単な説明】
【００１０】
【図１】本考案に係るネイルパーツの一例を示す説明図である。
【図２】同ネイルパーツのネイルパーツ本体の一例を示す説明図である。
【図３】同ネイルパーツの使用例を示す説明図である。
【図４】同ネイルパーツの断面を説明する説明図である。
【図５】同ネイルパーツの他の例を示す説明図である。
【図６】同ネイルパーツの他の使用例を示す説明図である。
【図７】同ネイルパーツの他の使用例における断面を説明する説明図である。
【考案を実施するための形態】
【００１１】
以下、本考案の形態について図面を参照しながら具体的に説明する。図１は、本考案に係るネイルパーツの一例を示す説明図である。図２は、同ネイルパーツのネイルパーツ本体の一例を示す説明図である。図３は、同ネイルパーツの使用例を示す説明図である。図４は、同ネイルパーツの断面を説明する説明図である。図５は、同ネイルパーツの他の例を示す説明図である。図６は、同ネイルパーツの他の使用例を示す説明図である。図７は、同ネイルパーツの他の使用例における断面を説明する説明図である。
【００１２】
ネイルパーツ１は、人の手足の爪又は人工爪に着脱自在な装飾物である。そして、ネイルパーツ１は、ネイルパーツ本体１０と爪側固定部材２０とから構成される。ネイルパーツ本体１０は、装飾物であり、爪ｎ又は人工爪４を装飾するものである。ネイルパーツ本体１０は、装飾をなす部分（台座１２及び装飾部１６）の爪ｎ又は人工爪４側に、後述する爪側固定部材２０に嵌合するネイルパーツ側固定部１４を有する。具体的には、図の例では、装飾をなす部分の中央の椀状の台座１２に下方に伸びるネイルパーツ側固定部１４を有している。そして、ネイルパーツ本体１０は、ネイルパーツ側固定部１４を有する台座１２の周囲に、略半球状の装飾部１６が、放射状に配置されている。尚、図に示すネイルパーツ本体１０の装飾をなす部分の形態は、あくまでも一例であり、他の形状であってもかまわない。
【００１３】
爪側固定部材２０は、爪ｎ又は人工爪４に予め固定又は接着するもので、ネイルパーツ本体１０のネイルパーツ側固定部１４が嵌合するものである。爪側固定部材２０及びネイルパーツ側固定部１４の形状や嵌合方法は、特に限定されるものではないが、図に示すように、爪側固定部材２０にネイルパーツ側固定部１４が螺嵌されるものが好ましい。具体的には、図に示すように、爪側固定部材２０が、ナット状であり、ネイルパーツ本体１０のネイルパーツ側固定部１４が、ボルト状であり、ネイルパーツ側固定部１４が、爪側固定部材２０に螺嵌される構造である。
【００１４】
次に、本実施の形態に係るネイルパーツ１の使用方法を説明する。まず、図１、図３及び図４に示すように、人工爪４を使用する場合、人工爪４に爪側固定部材２０を固定又は接着する。固定方法としては、人工爪４に凹部を設けて埋め込んで嵌め込んでも良いし、他の固定方法でもよい。また接着方法としては、例えば、接着材としてジェルネイル２２を用いるようにしても良く、他の接着方法でもよい。ジェルネイル２２は、ジェル状のネイルコートを爪ｎに重ね塗り、ＵＶ（紫外線）照射によって樹脂硬化させるものである。尚、爪側固定部材２０を人工爪４に固定又は接着するのは、爪ｎに人工爪４を接着してから行って良いし、人工爪４単体で爪側固定部材２０を人工爪４に固定又は接着するようにしても良い。
【００１５】
また、図５〜図７に示すように、人工爪４を使用しない場合、爪ｎに爪側固定部材２０を接着する。接着方法としては、例えば、接着材としてジェルネイル２２を用いるようにしても良く、他の接着方法でもよい。
【００１６】
次に、爪ｎ又は人工爪４に設けられた爪側固定部材２０にネイルパーツ本体１０のネイルパーツ側固定部１４を螺嵌させることで、ネイルパーツ本体１０が、爪側固定部材２０を介して、爪ｎ又は人工爪４に着脱自在に固定される。すなわち、爪側固定部材２０に対して、ネイルパーツ本体１０を回転させることで、ネイルパーツ本体１０を爪ｎ又は人工爪４から着脱させることができる。尚、人工爪４を爪ｎに接着しない状態で、人工爪４にネイルパーツ本体１０を固定させるようにし、その後に、人工爪４を爪ｎに接着するようにしてもよい。
【００１７】
以上のように構成されたネイルパーツ１によれば、爪側固定部材２０とネイルパーツ本体１０のネイルパーツ側固定部１４とが嵌合することにより、ネイルパーツ本体１０が、爪側固定部材２０を介して、爪ｎ又は人工爪４に着脱自在に固定されることから、爪ｎ又は人工爪４からの着脱が簡便に可能である。また、ネイルパーツ側固定部１４が、爪側固定部材２０に螺嵌されることから、容易に脱落してしまわない。
【産業上の利用可能性】
【００１８】
本考案により、爪又は人工爪からの着脱が簡便に可能で、また、容易に脱落してしまわないネイルパーツを提供することができる。
【符号の説明】
【００１９】
１・・・・ネイルパーツ
４・・・・人工爪
１０・・・ネイルパーツ本体
１２・・・台座
１４・・・ネイルパーツ側固定部
１６・・・装飾部
２０・・・爪側固定部材
２２・・・ジェルネイル
【図１】
0003197853.tif 000003
【図２】
0003197853.tif 000004
【図３】
0003197853.tif 000005
【図４】
0003197853.tif 000006
【図５】
0003197853.tif 000007
【図６】
0003197853.tif 000008
【図７】
0003197853.tif 000009